(57)【特許請求の範囲】
【請求項１】
建築物の天井裏において給水系管路に設けられて、前記給水系管路から供給される水道水を非常用に貯水する貯水槽であって、
筒状に形成されて、横向きに配置される槽本体、
前記槽本体の厚み範囲内の高さ位置に設けられ、前記槽本体を支持するフレーム、
前記槽本体と前記フレームとを連結する連結体、および
前記フレームに形成される、前記槽本体を前記天井裏の躯体に取り付けるための取付部を備える、貯水槽。
【請求項２】
建築物の天井裏において給水系管路に設けられて、前記給水系管路から供給される水道水を非常用に貯水する貯水槽であって、
筒状に形成されて、横向きに配置される槽本体、
前記槽本体を収納するケース、
前記ケースの厚み範囲内の高さ位置に設けられ、前記槽本体を支持するフレーム、
前記槽本体と前記フレームとを連結する連結体、および
前記ケースから露出するように前記フレームに形成される、前記槽本体を前記天井裏の躯体に取り付けるための取付部を備える、貯水槽。
【請求項３】
建築物の天井裏において給水系管路に設けられて、前記給水系管路から供給される水道水を非常用に貯水する貯水槽において、
筒状に形成されて、横向きに配置される槽本体、および
前記槽本体を支持する金具を備え、
前記金具の一部が前記槽本体を前記建築物に取り付けるための取付部とされると共に、当該取付部は前記槽本体の厚み範囲内の高さ位置に設けられ、
前記槽本体は、前記取付部を介して前記天井裏の躯体に吊り下げて設置されることを特徴とする、貯水槽。
【請求項４】
建築物の天井裏において給水系管路に設けられて、前記給水系管路から供給される水道水を非常用に貯水する貯水槽において、
筒状に形成されて、横向きに配置される槽本体、
前記槽本体を収納するケース、および
前記槽本体を支持する金具を備え、
前記金具の一部が前記ケースから露出して前記槽本体を前記建築物に取り付けるための取付部とされると共に、当該取付部は前記ケースの厚み範囲内の高さ位置に設けられ、
前記槽本体は、前記取付部を介して前記天井裏の躯体に吊り下げて設置されることを特徴とする、貯水槽。
【請求項５】
前記躯体は、コンクリートスラブを含む、請求項１ないし４のいずれかに記載の貯水槽。
【請求項６】
前記躯体は、木造建築物の梁を含む、請求項１ないし４のいずれかに記載の貯水槽。
【請求項７】
請求項１ないし６のいずれかに記載の貯水槽の設置方法であって、
建築物の天井裏の躯体に第１の固定具を固定し、
取付部の位置を前記第１の固定具に合わせ、前記第１の固定具と前記取付部とを第２の固定具を介して固定することによって、前記躯体に前記貯水槽を吊り下げて設置する、貯水槽の設置方法。
【発明の詳細な説明】
【技術分野】
【０００１】
この発明は貯水槽に関し、特にたとえば、建築物内部の給水系管路に設けられて、非常時に飲料水として用いられ得る清潔な水を貯留する、貯水槽に関する。
【背景技術】
【０００２】
近年、大規模地震等の自然災害への懸念の高まりから、断水状態を想定して、各家庭における飲料水の備蓄が推奨されている。そこで、本願発明者らは、給水系管路に設けられる貯水槽を特許文献１に提案した。特許文献１の貯水槽は、槽本体を含み、槽本体には、水道水が供給される第１給水管、および通常取水栓へとつながる複数の第２給水管が接続される。生活用水として槽本体内の水道水を通常取水栓から取り出すと、それに伴い水道水が第１給水管から槽本体内へ供給される。このため、槽本体内の水道水は、生活用水を使用する度に入れ替わり、常に清潔に維持される。したがって、特許文献１の技術によれば、特別なメンテナンス等を必要とすることなく、非常時に飲料水として用いられ得る清潔な水を貯留しておくことができる。
【特許文献１】特開２００６−１６０３６８号［Ｅ０３Ｂ  １１／０２］
【発明の開示】
【発明が解決しようとする課題】
【０００３】
上述のような貯水槽は、建築物の天井裏などの空き空間に固定して設置されるが、これらの空間は狭く、特に高さ方向に制限のある場合が多い。したがって、貯水槽は、高さ寸法を抑えて建築物に設置できることが望ましい。しかし、特許文献１には、貯水槽の具体的な設置方法が記載されていない。
【０００４】
それゆえに、この発明の主たる目的は、高さ寸法を抑えて建築物に設置することができる、貯水槽を提供することである。
【０００５】
この発明の他の目的は、建築物に設置する際の作業性が良い、貯水槽を提供することである。
【課題を解決するための手段】
【０００６】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【０００７】
請求項１の発明は、建築物の天井裏において給水系管路に設けられて、給水系管路から供給される水道水を非常用に貯水する貯水槽であって、筒状に形成されて、横向きに配置される槽本体、槽本体の厚み範囲内の高さ位置に設けられ、槽本体を支持するフレーム、槽本体とフレームとを連結する連結体、およびフレームに形成される、槽本体を天井裏の躯体に取り付けるための取付部を備える、貯水槽である。
【０００８】
請求項１の発明では、貯水槽（１０）は、槽本体（１２）およびフレーム（１４）を含み、建築物の天井裏において給水系管路に設けられて、非常時に飲料水として用いられ得る清潔な水を貯留する。槽本体は、水を貯留する部位であり、筒状に形成されて、横向きに配置される。槽本体には、導入管（２８）および導出管（３４，３８）が接続される。フレームは、槽本体の高さ範囲内、つまり槽本体の配置状態における厚み範囲内の高さ位置に設けられて、連結体（４４）を介して槽本体を支持する。また、フレームには取付部（５２，６０）が形成され、フレームは、貯水槽を建築物の天井裏の躯体に設置する際の取付具として機能する。さらに、フレームは、貯水槽を運搬したり、建築物に設置したりする際などの把持部としても利用できる。
【０００９】
請求項１の発明によれば、フレームを槽本体の高さ範囲内に設けたので、高さ寸法を抑えて建築物に設置することができる。
【００１０】
また、フレームを把持部として利用できるので、建築物への貯水槽の設置が容易となる。
【００１１】
請求項２の発明は、建築物の天井裏において給水系管路に設けられて、給水系管路から供給される水道水を非常用に貯水する貯水槽であって、筒状に形成されて、横向きに配置される槽本体、槽本体を収納するケース、ケースの厚み範囲内の高さ位置に設けられ、槽本体を支持するフレーム、槽本体とフレームとを連結する連結体、およびケースから露出するようにフレームに形成される、槽本体を天井裏の躯体に取り付けるための取付部を備える、貯水槽である。
【００１２】
請求項２の発明では、貯水槽（１０）は、槽本体（１２）、フレーム（１４）およびケース（１６）を含み、建築物の天井裏において給水系管路に設けられて、非常時に飲料水として用いられ得る清潔な水を貯留する。槽本体は、水を貯留する部位であり、筒状に形成されて、横向きに配置される。また、槽本体は、保温材などによって形成されるケースに収納される。槽本体には、導入管（２８）および導出管（３４，３８）が接続される。フレームは、ケースの高さ範囲内、つまりケースの厚み範囲内の高さ位置に設けられて、連結体（４４）を介して槽本体を支持する。また、フレームには、ケースから露出するように取付部（５２，６０）が形成され、フレームは、貯水槽を建築物の天井裏の躯体に設置する際の取付具として機能する。
【００１３】
請求項２の発明によれば、フレームをケースの高さ範囲内に設けたので、高さ寸法を抑えて建築物に設置することができる。
【００１４】
請求項３の発明は、建築物の天井裏において給水系管路に設けられて、給水系管路から供給される水道水を非常用に貯水する貯水槽において、筒状に形成されて、横向きに配置される槽本体、および槽本体を支持する金具を備え、金具の一部が槽本体を建築物に取り付けるための取付部とされると共に、当該取付部は槽本体の厚み範囲内の高さ位置に設けられ、槽本体は、取付部を介して天井裏の躯体に吊り下げて設置されることを特徴とする、貯水槽である。
【００１６】
請求項４の発明は、建築物の天井裏において給水系管路に設けられて、給水系管路から供給される水道水を非常用に貯水する貯水槽において、筒状に形成されて、横向きに配置される槽本体、槽本体を収納するケース、および槽本体を支持する金具を備え、金具の一部がケースから露出して槽本体を建築物に取り付けるための取付部とされると共に、当該取付部はケースの厚み範囲内の高さ位置に設けられ、槽本体は、取付部を介して天井裏の躯体に吊り下げて設置されることを特徴とする、貯水槽である。
【００１８】
請求項５の発明は、請求項１ないし４のいずれかの発明に従属し、躯体は、コンクリートスラブを含む。
【００２０】
請求項６の発明は、請求項１ないし４のいずれかの発明に従属し、躯体は、木造建築物の梁を含む。
【００２３】
請求項７の発明は、請求項１ないし６のいずれかに記載の貯水槽の設置方法であって、建築物の天井裏の躯体に第１の固定具を固定し、取付部の位置を第１の固定具に合わせ、第１の固定具と取付部とを第２の固定具を介して固定することによって、躯体に貯水槽を吊り下げて設置する、貯水槽の設置方法である。
【００２４】
請求項７の発明では、槽本体（１２）或いはケース（１６）の高さ範囲内に設けられるフレーム（１４）を利用して、貯水槽（１０）を建築物に設置するので、高さ寸法を抑えて貯水槽を建築物に設置することができる。
【発明の効果】
【００２５】
この発明によれば、フレームを槽本体の高さ範囲内に設けたので、高さ寸法を抑えて建築物に設置することができる。
【００２６】
また、フレームを把持部として利用できるので、建築物への設置が容易となる。
【００２７】
この発明の上述の目的，その他の目的，特徴および利点は、図面を参照して行う以下の実施例の詳細な説明から一層明らかとなろう。
【発明を実施するための最良の形態】
【００２８】
図１を参照して、この発明の一実施例である貯水槽１０は、槽本体１２、フレーム１４およびケース１６を含み、図７−図１０に示すように、マンションおよび戸建などの一般住宅に設置されて、非常時に飲料水として用いられ得る清潔な水を貯留する。貯水槽１０は、水道管からの水道水を宅内に供給する第１給水管と、第１給水管によって供給される水道水を各給水栓に配水する複数の第２給水管とを接続する。つまり、貯水槽１０は、建築物内部の給水系管路に設けられて、清潔な水を貯留すると共に、給水ヘッダとしても機能する。貯水槽１０の内容量は、たとえば３６リットルであり、この量は４人家族の３日間の飲料用水使用量に相当する。この実施例では、貯水槽１０は、２つの槽本体１２を備える。
【００２９】
図１−図３に示すように、槽本体１２は、水を貯留する部位であって、硬質塩化ビニルおよびポリエチレンなどの合成樹脂によって形成され、管部１８およびキャップ部２０を含む。管部１８は、両端開口の円管、つまり汎用の合成樹脂製パイプであり、その両端のそれぞれにキャップ部２０が設けられる。管部１８の内径および長さは、貯留したい水の量によって適宜設定される。たとえば、この実施例では、内径が１４６ｍｍの円管を用いて管部１８を形成し、その長さを約１．１ｍとすることによって、１つの槽本体１２に１８リットルの水が貯留される。
【００３０】
キャップ部２０は、管部１８の両端部外面のそれぞれにＴＳ接合法で接続され、管部１８の一方端側に接続される第１キャップ部２０ａ、および他端側に接続される第２キャップ部２０ｂを含む。キャップ部２０は、短円筒状の側壁２２および側壁２２の一方端を封止する円板状の円板部２４を有する。側壁２２の内面は、管部１８の内面より外側に位置し、円板部２４と管部１８の端面との間には、空間が形成される。また、円板部２４には、管部１８から遠ざかる方向に、軸方向と平行に突出する２つの受口２６が形成される。２つの受口２６は、円板部２４の上部および下部のそれぞれに形成され、上部に位置する第１受口２６ａの内面上部は、側壁２２の内面上部と滑らかに繋がり、下部に位置する第２受口２６ｂの内面下部は、側壁２２の内面下部と滑らかに繋がる。つまり、第１受口２６ａは、管部１８の内面最上部よりも高い位置で、また、第２受口２６ｂは、管部１８の内面最下部よりも低い位置で、円板部２４と管部１８の端面との間に形成された空間に連通する。
【００３１】
そして、第１キャップ部２０ａの第１受口２６ａは、導入口として機能し、導入管２８と接続される。導入管２８は、他の槽本体１２からの導入管２８と連結されて、その高さを維持したまま２つの槽本体１２の間を通って第２キャップ部２０ｂ側に延びる。導入管２８の端部には、第１給水管（図示せず）と接続される第１接続部３０が設けられる。また、導入管２８には、バルブ３２およびバルブ３２に内蔵された逆止弁が設けられる。
【００３２】
第１キャップ部２０ａの第２受口２６ｂは、給水口として機能し、第１導出管３４と接続される。第１導出管３４は、他の槽本体１２からの第１導出管３４と連結されて、その高さを維持したまま２つの槽本体１２の間を通って第２キャップ部２０ｂ側に延びる。第１導出管３４の端部には、非常用第２給水管（図示せず）と接続される第２接続部３６が設けられる。非常用第２給水管は、通常時には通常取水栓として使用されると共に、非常時（断水時）には非常取水栓として使用される給水栓、たとえば台所の給水栓に繋がる。
【００３３】
第２キャップ部２０ｂの第１受口２６ａは、給水口として機能し、第２導出管３８と接続される。この第２導出管３８は、その高さを維持したまま第２キャップ部２０ｂから離れる方向に延びる。第２導出管３８の端部には、通常用第２給水管（図示せず）と接続される第３接続部４０が設けられる。通常用第２給水管は、非常取水栓として使用されるものを除く各給水栓、たとえばトイレや浴室の給水栓に繋がる。
【００３４】
第２キャップ部２０ｂの第２受口２６ｂは、第２キャップ部２０ｂの第１受口２６ａと同様に、給水口として機能し、第２導出管３８と接続される。第２受口２６ｂに接続される第２導出管３８は、上方に屈曲して、第１受口２６ａに接続される第２導出管３８と同じ高さになり、第２キャップ部２０ｂから離れる方向に延びる。また、第２受口２６ｂに接続される第２導出管３８には、吸気口が形成され、この吸気口には、サイフォン現象を防止するための吸気弁４２が設けられる。
【００３５】
このような槽本体１２を備える貯水槽１０では、日常生活において各給水栓から水道水が使用される度に、槽本体１２内の水が自動的に入れ替わるため、常に清潔な水を確保できる。また、上述のようなキャップ構造を槽本体１２に採用することによって、槽本体１２内に空気や異物などが万一混入したとしても、それらの排出が促され、貯水槽１０のメンテナンスフリーを実現できる。さらに、各管２８，３４，３８を、キャップ部２０の円板部２４に設けた各受口２６ａ，２６ｂに接続する、つまり槽本体１２の端面に接続することにより、槽本体１２自体の薄型化を図ることができる。
【００３６】
このような貯水槽１０は、建築物の天井裏などの空き空間（デッドスペース）に固定して設置されるが、これらの空き空間は、高さ方向に制限のある場合が多い。このため、貯水槽１０は、高さ寸法を抑えて建築物に設置できることが望ましい。そこで、貯水槽１０では、以下に詳細を示すように、槽本体１２とフレーム１４とを一体化した構造を採用した。
【００３７】
図１−図３に示すように、槽本体１２には、連結体４４が設けられる。連結体４４は、槽本体１２とフレーム１４とを連結して固定するための部材である。また、この実施例では、貯水槽１０は２つの槽本体１２を備えるので、連結体４４は、槽本体１２同士を連結する部材としても機能する。具体的には、連結体４４は、ステンレス鋼などの金属によって形成され、その両端が外側に向かって屈曲する短半円筒状の連結体部材を組み合わせることによって、槽本体１２を挟み込んで連結する略眼鏡状に形成される。この実施例では、２つの連結体４４が、キャップ部２０近傍の管部１８外面にそれぞれ取り付けられる。また、連結体４４の両端部４４ａには、槽本体１２の高さ範囲内で、上下方向に形成される間隔が設けられる。この間隔に後述する第１フレーム４８を嵌め込み、ボルト止めすることによって、連結体４４とフレーム１４とが接続される。
【００３８】
なお、管部１８に連結体４４を取り付ける際には、管部１８と連結体４４との間に、ウレタン等によって形成される断熱材４６が挟み込まれる。管部１８内の温度と連結体４４の温度とに差が生じた場合、管部１８と連結体４４とが直接触れていると、その接触部に結露が発生する恐れがあるため、断熱材４６によってそれを防止する。
【００３９】
フレーム１４は、ステンレス鋼などの金属によって、２つの槽本体１２を囲繞する平面矩形形状に形成される。フレーム１４は、上述の連結体４４などを介して槽本体１２を支持すると共に、貯水槽１０を建築物に取り付ける際の取付具として機能する。フレーム１４を形成する際には、溝形鋼などの汎用の形鋼を用いることができる。
【００４０】
具体的には、フレーム１４は、第１フレーム４８および第２フレーム５０を含み、第１フレーム４８は、連結体４４の両端部４４ａのそれぞれに、２つの連結体４４を結ぶように接続される。つまり、第１フレーム４８は、槽本体１２の高さ範囲内で、槽本体１２の両側のそれぞれに設けられて、槽本体１２の長さ方向に延びる。第１フレーム４８は、外方に向かって開口する溝形の断面形状を有し、槽本体１２よりも長い長さを有する。たとえば、第１フレーム４８の長さは１３６０ｍｍであり、その幅は３０ｍｍであり、その高さは６０ｍｍである。
【００４１】
また、第１フレーム４８には、貯水槽１０を建築物に取り付ける際に利用される取付部として機能する取付孔５２が形成される。取付孔５２は、略楕円形状に形成されて、第１フレーム４８を鉛直方向に連通する。取付孔５２は、貯水槽１０を建築物に取り付けた際の重量バランスを考慮した位置に形成され、この実施例では、連結体４４の端部近傍のそれぞれに計４つの取付孔５２が形成される。
【００４２】
第２フレーム５０は、槽本体１２の端面より外側で、２つの第１フレーム４８を連結し、フレーム１４の強度、延いては貯水槽１０の強度を高める。第２フレーム５０は、Ｌアングル等の金具を介して第１フレーム４８にボルト止めされて固定される。第２フレーム５０の長さ、つまり２つの第１フレーム４８の間の間隔は、たとえば４７５ｍｍである。また、槽本体１２の第２キャップ部２０ｂ側の第２フレーム５０は、上述の導入管２８および第２導出管３８と第１導出管３４との間を通るように形成され、その幅は、導入管２８および第２導出管３８と第１導出管３４との間の間隔に相当する大きさに設定される。つまり、第２キャップ部２０ｂ側の第２フレーム５０の上面に、導入管２８および第２導出管３８が乗るように沿い、その下面に、第１導出管３４が沿う。したがって、第２キャップ部２０ｂ側の第２フレーム５０に、各管２８，３４，３８を容易に固定することができ、各管２８，３４，３８に各給水管を接続した場合にも、各管２８，３４，３８の撓み等による破損を防止することができる。
【００４３】
また、図４−図６に示すように、貯水槽１０はケース１６を備え、上述の槽本体１２および各管２８，３４，３８などはケース１６内に収納される。ケース１６は、難燃性の発泡スチロールおよびウレタン等の保温材によって形成され、上面および下面が平面である扁平形状の箱形に形成される。ケース１６は、たとえば、その上部１６ａと下部１６ｂとが別体として形成され、槽本体１２などをその内部に収納した後、接着剤や粘着テープを用いる等して、上部１６ａと下部１６ｂとが一体化されて箱形となる。たとえば、ケース１６の長さは１６００ｍｍであり、その幅は５３５ｍｍであり、その高さは２４０ｍｍである。
【００４４】
ケース１６の両側面１６ｃには、第１フレーム４８の外形に相当する大きさの窪み部５４が形成される。第１フレーム４８は、この窪み部５４に嵌り込むようにしてケース１６の両側面１６ｃからその内面が露出し、ケース１６の両端面１６ｄの近傍まで延びる。また、ケース１６の両側面１６ｃには、第１フレーム４８の各取付孔５２の上方および下方を連通する切欠部５６が形成される。この切欠部５６によって、取付孔５２がケース１６から上下方向に露出し、取付孔５２に後述する吊ボルト１０２等が取付可能になる。
【００４５】
また、ケース１６の端面１６ｄの一方には、各管２８，３４，３８に設けられる各接続部３０，３６，４０に応じた位置に、複数（この実施例では６つ）の接続口５８が形成され、この接続口５８を介して各接続部３０，３６，４０に各給水管が接続される。
【００４６】
このような貯水槽１０は、上述したように、建築物の天井裏などに設置される。たとえば、図７に示すように、ＲＣ構造（鉄筋コンクリート構造）を有するマンションに貯水槽１０を設置する場合には、マンションの天井裏のコンクリートスラブ１００に設けた吊ボルト１０２に、貯水槽１０を吊り下げて設置する。
【００４７】
具体的には、先ず、第１フレーム４８の取付孔５２の位置に相当する間隔で、コンクリートスラブ１００に吊ボルト１０２を設ける。そして、下から貯水槽１０を持ち上げて、取付孔５２のそれぞれに吊ボルト１０２を挿通し、ナット等で適宜固定する。この際には、耐衝撃性を有する硬質塩化ビニル等で形成される管状の補強具１０４を、第１フレーム４８の内面に当接するように噛ましておけば、より適切に第１フレーム４８と吊ボルト１０２とを固定することができる。
【００４８】
なお、この実施例のように、貯水槽１０を天井裏に設置するのは、非常取水栓として使用される給水栓よりも高い位置に貯水槽１０を設置するためである。これにより、非常時に、自然流下によって貯水槽１０内の水を非常取水栓から取り出すことができるようになる。また、コンクリートスラブ１００（後述する梁１０８も同様）の下に設けられる天井材１０６に貯水槽１０を置いて設置するのでは無く、コンクリートスラブ１００に貯水槽１０を吊り下げて設置するのは、コンクリートスラブ１００と比較して天井材１０６の強度が弱いことを考慮し、地震等の非常時に、天井材１０６が破損して貯水槽１０ごと落下してしまうことを防ぐためである。
【００４９】
この実施例によれば、槽本体１２と取付具として機能するフレーム１４とを一体化した構造とし、槽本体１２の高さ範囲内に収まるようにフレーム１４を設けたので、設置した際の高さ寸法を、取付具の高さの分だけ抑えることができる。つまり、高さ寸法を抑えて建築物に設置することができるため、貯水槽１０は、高さ方向に制限のある空間にも設置できる。また、設置した際の高さ寸法を抑えることによって、貯水槽１０を設置するときの作業性も向上する。なお、槽本体１２の高さ範囲内にフレーム１４を設けるようにしたが、この実施例のように、槽本体１２を収納して保温するケース１６を備える場合には、フレーム１４は、ケース１６の高さ範囲内に収まるように設けられていればよい。このようにしても、設置した際の高さ寸法を取付具の高さの分だけ抑えることができ、高さ寸法を抑えて建築物に設置することができる。
【００５０】
また、第１フレーム４８の形状を、外方に向かって開口する溝形の断面形状とし、第１フレーム４８をケース１６の側面１６ｃから露出させたので、作業者は、第１フレーム４８の内面上部４８ａに手を掛けることができる。つまり、この実施例では、第１フレーム４８の内面上部４８ａがフレーム１４に形成される把持部として機能し、貯水槽１０がケース１６を備える場合であっても、フレーム１４を把持部として利用できるので、貯水槽１０の運搬や取付作業が容易になる。また、第１フレーム４８を、槽本体１２の長さより長く形成して、ケース１６の両端面１６ｄの近傍まで延びるようにしたので、作業者は、ケース１６の端面１６ｄ側から貯水槽１０を把持することができるようになり、貯水槽１０の運搬や取付作業がより容易になる。
【００５１】
さらに、フレーム１４を、槽本体１２を囲繞する平面矩形形状に形成したので、フレーム１４の強度が十分に確保される。
【００５２】
また、槽本体１２および各管２８，３４，３８を保温材によって形成されるケース１６に収納することによって、槽本体１２および各管２８，３４，３８が一定温度に保温されると共に、槽本体１２および各管２８，３４，３８に対する埃よけにもなる。これによって、第２導出管３８に設けられる吸気弁４２などの故障を防ぐことができる。
【００５３】
なお、上述の実施例では、ＲＣ構造を有する建築物の天井裏のコンクリートスラブ１００に貯水槽１０を設置したが、これに限定されず、貯水槽１０は木造の建築物にも設置できる。たとえば、図８に示すように、木造の建築物の天井裏の梁１０８の下に貯水槽１０を吊り下げて設置することができる。具体的には、梁１０８にＬアングル１１０を固定し、このＬアングル１１０に吊ボルト１１２を取り付ける。そして、コンクリートスラブ１００に設置した場合と同様に、下から槽本体１０を持ち上げて、取付孔５２のそれぞれに吊ボルト１１２を挿通し、ナット等で適宜固定するとよい。
【００５４】
また、たとえば、図９に示すように、木造の建築物の天井裏の梁１０８と梁１０８との間に貯水槽１０を設置することもできる。この場合には、たとえば、梁１０８にＬアングル１１４を固定し、そのＬアングル１１４に全ネジボルト１１６を取り付ける。そして、上から貯水槽１０を下ろすようにして、取付孔５２に全ネジボルト１１６を挿通し、ナット等で適宜固定するとよい。この設置方法は、木造の建築物を新築する際に用いると有効である。つまり、柱や梁１０８などの建築物の骨組みを組み立てた状態のときに、作業者が梁１０８などの上に乗って、梁１０８の上から貯水槽１０を下ろすようにして設置すれば、下から貯水槽１０を持ち上げて取付孔５２に吊ボルト１１２を挿通する設置方法と比較して、簡単に貯水槽１０を設置できる。また、梁１０８と梁１０８との間に貯水槽１０を設置することによって、より高さ寸法を抑えて建築物に貯水槽１０を設置できる。
【００５５】
さらに、図１０に示すように、取付部材６０を備える貯水槽１０を用意し、その取付部材６０を利用して、建築物に貯水槽１０を設置することもできる。なお、後述するように、取付部材６０は、第１フレーム４８とは別体として形成されて、第１フレーム４８の取付孔５２に取り付けられるが、この取付部材６０もフレーム１４に形成される取付部の概念に含まれ、取付孔５２と共に、フレーム１４に形成される取付部として機能する。
【００５６】
取付部材６０は、図１１に示すように、ステンレス鋼などの金属や硬質塩化ビニルなどの合成樹脂によって、直方体状に形成される。取付部材６０は、第１フレーム４８の内面に嵌って沿う高さ、および第１フレーム４８の幅よりも大きな幅を有し、その一部が外方に向かって突出するように、第１フレーム４８の取付孔５２の位置に嵌め込まれて取り付けられる。また、取付部材６０には、取付部材６０を鉛直方向に連通する２つの孔、すなわち第１孔６２および第２孔６４が形成される。第１孔６２は、幅の広い扁平形状を有し、この第１孔６２が第１フレーム４８の取付孔５２と接続される。第２孔６４は、略楕円形状を有し、この第２孔６４がＬアングル１１８と接続される。
【００５７】
図１０−図１２を参照して、このような取付部材６０を備える貯水槽１０を、たとえば木造の建築物の天井裏の梁１０８に設置する場合には、先ず、梁１０８に孔１２０を有するＬアングル１１８を取り付けておく。また、取付部材６０を第１フレーム４８の取付孔５２の位置に嵌め込み、取付孔５２および第１孔６２に全ネジボルト１２２を挿通して、ナット等で仮止めしておく。この仮止め状態では、取付部材６０は、第１孔６２の幅の範囲内で、第１フレーム４８の長さ方向に移動可能である。次に、梁１０８の上から貯水槽１０を下ろして、図１２(Ａ)に示すように、Ｌアングル１１８の孔１２０の位置と取付部材６０の第２孔６４の位置とが概ね一致するように、Ｌアングル１１８に取付部材６０を引っ掛けて、貯水槽１０を仮置きする。その後、取付部材６０を移動させて、図１２(Ｂ)に示すように、孔１２０の位置と第２孔６４の位置とを一致させ、孔１２０および第２孔６４に全ネジボルト１２２を挿通して、ナット等で適宜固定する。また、仮止めしていた取付部材６０と第１フレーム４８とを、ナット等を締め付けることによって適宜固定する。
【００５８】
このように、取付部材６０を利用することによって、貯水槽１０をＬアングル１１８に一旦仮置きできるので、一度に４つの取付孔５２の位置とボルト１０２，１１２，１１６の位置とを合わせなければならない図７−図９に示した設置方法と比較して、容易に建築物に貯水槽１０を設置できる。
【００５９】
また、万一、貯水槽１０に不具合が発生し、貯水槽１０を建築物から取り外す必要が生じたときには、貯水槽１０を下側から取り外すことができるので、作業性に優れる。具体的には、図１２(Ｃ)に示すように、Ｌアングル１１８の孔１２０および取付部材６０の第２孔６４に挿通した全ネジボルト１２２を外し、取付部材６０と第１フレーム４８とを仮止め状態にして、Ｌアングル１１８の位置から外れるように取付部材６０を移動させれば、貯水槽１０を下側から取り外すことができる。
【００６０】
なお、図１１に示す取付部材６０では、第１フレーム４８からの取付部材６０の脱落を防止するために、全ネジボルト１２２を用いた仮止め状態を利用し、その仮止め状態で、取付部材６０が第１フレーム４８の長さ方向に移動可能なように、第１孔６２の形状を幅の広い扁平形状とした。しかし、この第１孔６２の形状を含む取付部材６０の形状は、図１１に示す形状に限定されず、適宜な形状を採用し得る。
【００６１】
また、取付部材６０を移動可能に設けるのではなく、取付孔５２に取付部材６０を固定的に設けることもできる。この場合、貯水槽１０を設置する際には、取付部材６０を利用して貯水槽１０をＬアングル１１８に仮置きした後、貯水槽１０全体をずらすことによって、Ｌアングル１１８の孔１２０の位置と取付部材６０の第２孔６４の位置とを一致させるようにするとよい。同様に、貯水槽１０を取り外す際には、孔１２０および第２孔６４に挿通した全ネジボルト１２２を外した後、貯水槽１０全体をずらすことによって、取付部材６０がＬアングル１１８の位置から外れるようにするとよい。
【００６２】
また、取付部材６０を利用する場合には、上述のように、取付部材６０を第１フレーム４８に取り付けておくのではなく、Ｌアングル１１８に予め取り付けておくこともできる。この場合には、Ｌアングル１１８に取り付けた取付部材６０を、第１フレーム４８の内面に沿わせてスライドさせるようにして、貯水槽１０を横方向から設置するとよい。
【００６３】
また、上述の実施例では、槽本体１２および各管２８，３４，３８をケース１６内に収納するようにしたが、貯水槽１０は、必ずしもケース１６を備える必要は無い。
【００６４】
また、ケース１６を備える代わりに、槽本体１２自体の構成を、保温材を含む構成にしてもよい。たとえば、槽本体１２を、合成樹脂製パイプの外面に、保温材によって形成されるパイプカバーを取り付けた構成とすることもできる。この場合には、パイプカバーを含む槽本体１２の高さ範囲内に、フレーム１４が設けられる。
【００６５】
さらに、上述の実施例では、第１フレーム４８の内面全体がケース１６の側面１６ｃに露出するようにしたが、これに限定されない。少なくとも、第１フレーム４８の取付孔５２と、建築物に設けられる吊ボルト１１２やＬアングル１１８等とが取付可能であれば、第１フレーム４８は、ケース１６から露出しないようにすることもできる。
【００６６】
また、上述の実施例では、ケース１６の窪み部５４に第１フレーム４８を嵌め込むようにしたが、これに限定されない。たとえば、第１フレーム４８の一部が、ケース１６の側面１６ｃよりも外方に突出するように露出してもよい。また、たとえば、第１フレーム４８全体が、ケース１６の外部に露出してもよい。
【００６７】
また、上述の実施例では、第１フレーム４８の形状を溝形の断面形状を有するものにし、その内面上部４８ａに手を掛けて把持できるようにした、つまり第１フレーム４８の内面上部４８ａを把持部としたが、これに限定されない。第１フレーム４８の形状には、円形、方形、「Ｌ」字形および「Ｈ」字形などの断面形状を有する適宜な形状を採用することができる。たとえば、貯水槽１０にケース１６を設けない場合や第１フレーム４８がケース１６から突出している場合などには、第１フレーム４８の外面下部に手を掛けて把持するとよい。また、たとえば、ケース１６の側面１６ｃよりも内側に第１フレーム４８を設ける場合には、第１フレーム４８の外面下部に相当するケース１６の位置に切欠を形成して第１フレーム４８の外面下部の一部を露出させ、その切欠から手を入れて第１フレーム４８の外面下部に手を掛けるようにしてもよい。これらの場合には、第１フレーム４８の外面下部が、フレーム１４に形成される把持部として機能する。
【００６８】
また、第１フレーム４８とは別体として、円柱形状などを有する把持部材（図示せず）を形成し、その把持部材を、第１フレーム４８から外方に向かって突出するように第１フレーム４８の適宜な位置に取り付けて、把持部として利用することもできる。なお、この把持部材もフレーム１４に形成される把持部の概念に含まれ、貯水槽１０がケース１６を備える場合には、この把持部材の部位をケース１６から露出させて、把持部として利用するとよい。
【００６９】
また、上述の実施例では、第１フレーム４８と第２フレーム５０とによって、槽本体１２を囲繞する平面矩形形状にフレーム１４を形成したが、これに限定されない。たとえば、１つの第２フレーム５０によって第１フレーム４８が連結されていてもよい。また、たとえば、連結体４４が十分に強度の強いものであれば、第２フレーム５０を別途設けないこともできる。言い換えると、連結体４４が第２フレーム５０を兼ねるようにしてもよい。
【００７０】
また、上述の実施例では、第１フレーム４８に取付部を形成したが、これに限定されず、第２フレーム５０に取付部を形成してもよい。つまり、貯水槽１０の端部側で、貯水槽１０と建築物とを固定することもできる。
【００７１】
また、第１フレーム４８の代わりに、或いは第１フレーム４８と共に、第２フレーム５０に把持部を形成することもできる。この場合には、各接続部３０，３６，４０を貯水槽１０の側部などに配置するとよい。また、貯水槽１０がケース１６を備える場合には、第１フレーム４８の場合と同様に、ケース１６から第２フレーム５０を露出させるとよい。もちろん、第２フレーム５０には、第１フレーム４８と同様に、適宜な形状を採用することができるし、別部材として形成される把持部材を取り付けることもできる。
【００７２】
また、上述の実施例では、貯水槽１０を設ける建築物として一般住宅を例示したが、これに限定されず、貯水槽１０を設ける建築物は、水道水を定期的に使用する建築物であればよい。たとえば、病院や学校などの公共施設に貯水槽１０を設置することもできる。
【００７３】
また、天井裏のコンクリートスラブ１００や梁１０８に吊り下げるようにして設置するだけでなく、貯水槽１０は、床下や屋上に置いて設置することもできる。たとえば、床下に設置する場合には、コンクリート基礎上にボルトを打ち込み、取付孔５２にそのボルトを挿通して、ナット等で適宜固定するとよい。ただし、床下に貯水槽１０を設置する場合には、自然流下によって貯水槽１０内の貯留水を取り出すことは難しいので、槽本体１２の上部に取水口を別途設け、非常時には、その取水口から貯留水を取り出す必要が生じる場合がある。
【００７４】
また、上述の実施例では、２つの槽本体１２を備えるようにしたが、これに限定されず、槽本体１２は、１つでもよいし、３つ以上でもよい。また、各接続部３０，３６，４０を貯水槽１０の一方端側に並べて配置するようにしたが、これに限定されず、各接続部３０，３６，４０は、貯水槽１０の両端、両側、上部および下部などの適宜な位置に、適宜な方向を向けて配置することができる。
【図面の簡単な説明】
【００７５】
【図１】この発明の一実施例である貯水槽の内部構成を示す平面図である。
【図２】図１の貯水槽の内部構成を示す側面図である。
【図３】図１の貯水槽の内部構成を示す端面図である。
【図４】図１の貯水槽の外観を示す平面図である。
【図５】図１の貯水槽の外観を示す側面図である。
【図６】図１の貯水槽の外観を示す端面図である。
【図７】図１の貯水槽をＲＣ構造を有する建築物に設置した様子の一例を示す概略図である。
【図８】図１の貯水槽を木造の建築物に設置した様子の一例を示す概略図である。
【図９】図１の貯水槽を木造の建築物に設置した様子の他の一例を示す概略図である。
【図１０】この発明の他の実施例の貯水槽を木造の建築物に設置した様子の一例を示す概略図である。
【図１１】図１０の貯水槽が備える取付部材を示す斜視図である。
【図１２】図１０の貯水槽を建築物に設置する方法を説明するための概略図であて、（Ａ）は貯水槽を仮置きした様子を示し、（Ｂ）は貯水槽を設置した様子を示し、（Ｃ）は貯水槽を取り外すときの様子を示す。
【符号の説明】
【００７６】
１０  …貯水槽
１２  …槽本体
１４  …フレーム
１６  …ケース
２８  …導入管
３４  …第１導出管
３８  …第２導出管
４４  …連結体
４８  …第１フレーム
４８ａ  …第１フレームの内面上部（把持部）
５０  …第２フレーム
５２  …取付孔（取付部）
６０  …取付部材（取付部）
１００  …コンクリートスラブ
１０８  …梁
【図１】
0005014897.tif 000002
【図２】
0005014897.tif 000003
【図３】
0005014897.tif 000004
【図４】
0005014897.tif 000005
【図５】
0005014897.tif 000006
【図６】
0005014897.tif 000007
【図７】
0005014897.tif 000008
【図８】
0005014897.tif 000009
【図９】
0005014897.tif 000010
【図１０】
0005014897.tif 000011
【図１１】
0005014897.tif 000012
【図１２】
0005014897.tif 000013